(57)【要約】【課題】ネットワーク回線を通じて顧客端末から送信された原画ファイルに所定の画像処理を行って顧客端末に送信すると共に、顧客からの再処理の要求を容易かつ正確に判定する技術を提供すること。【解決手段】サービス提供サーバ１０には、顧客端末から原画ファイルを受信する受信処理部１１と、原画ファイルに対して所定の画像処理を行い、処理画像ファイルを生成する画像処理部１２と、原画ファイルに対して隠蔽情報を埋込処理して情報埋込原画ファイルを生成する情報隠蔽処理部１３と、処理画像ファイル及び情報埋込原画ファイルを顧客端末に送信する送信処理部１４と、受信処理部で受信した原画ファイルにおいて隠蔽情報が埋め込まれているかを検出して当原画ファイルに対する再処理に該当するか否かを判定する再処理判定処理部１５を備える。【選択図】図１
2013156840.tif 000002
【特許請求の範囲】
【請求項１】
顧客端末から送信された原画ファイルに対して所定の画像処理を行い、その処理画像ファイルを顧客端末に返信する画像処理サービス提供システムであって、
顧客端末と、ネットワーク回線と、サービス提供サーバとから構成され、
該サービス提供サーバが、
顧客端末から原画ファイルを受信する受信処理部と、
該原画ファイルに対して所定の画像処理を行い、処理画像ファイルを生成する画像処理部と、
該原画ファイルに対して隠蔽情報を埋込処理して情報埋込原画ファイルを生成する情報隠蔽処理部と、
該処理画像ファイル及び該情報埋込原画ファイルを該顧客端末に送信する送信処理部と、
該受信処理部で受信した原画ファイルにおいて該隠蔽情報が埋め込まれているかを検出して当該原画ファイルに対する再処理に該当するか否かを判定する再処理判定処理部と
を備えると共に、
該顧客端末が、
該原画ファイル又は該情報埋込原画ファイルを送信する送信処理部と、
該処理画像ファイル及び該情報埋込原画ファイルを受信する受信処理部と、
処理画像ファイルを表示する処理画像表示部と
を備えることを特徴とする画像処理サービス提供システム。
【請求項２】
前記隠蔽情報に、前記画像処理部で画像処理した際のパラメータ情報を含む
請求項１に記載の画像処理サービス提供システム。
【請求項３】
前記画像処理部における画像処理が、
前記原画ファイルの背景を透明化又は所定画像に変化させる処理を含む
請求項１又は２に記載の画像処理サービス提供システム。
【請求項４】
顧客端末から送信された原画ファイルに対して所定の画像処理を行い、その処理画像ファイルを顧客端末に返信する画像処理サービス提供方法であって、
顧客端末と、ネットワーク回線と、サービス提供サーバとを用い、
該顧客端末の送信処理部が、該原画ファイルを送信するステップ、
該サービス提供サーバの受信処理部が、該原画ファイルを受信するステップ、
該サービス提供サーバの画像処理部が、該原画ファイルに対して所定の画像処理を行い、処理画像ファイルを生成するステップ、
該サービス提供サーバの情報隠蔽処理部が、該原画ファイルに対して隠蔽情報を埋込処理して情報埋込原画ファイルを生成するステップ、
該サービス提供サーバの送信処理部が、該処理画像ファイル及び該情報埋込原画ファイルを該顧客端末に送信するステップ、
該顧客端末の受信処理部が、該処理画像ファイル及び該情報埋込原画ファイルを受信するステップ、
該顧客端末の処理画像表示部が、処理画像ファイルを表示するステップ
を有し、
顧客が処理画像ファイルを確認して画像処理のやり直しを希望する場合に、
該顧客端末の送信処理部が、該情報埋込原画ファイルを送信するステップ、
該サービス提供サーバの受信処理部が、該情報埋込原画ファイルを受信するステップ、
該サービス提供サーバの再処理判定処理部が、該情報埋込原画ファイルにおいて該隠蔽情報が埋め込まれているかを検出して当該原画ファイルに対する再処理に該当することを確認するステップ
を有することを特徴とする画像処理サービス提供方法。
【請求項５】
前記隠蔽情報に、前記画像処理部で画像処理した際のパラメータ情報を含み、
前記原画ファイルに対する再処理の際に該パラメータ情報を参照可能にした
請求項４に記載の画像処理サービス提供方法。
【請求項６】
前記画像処理部における画像処理が、
前記原画ファイルの背景を透明化又は所定画像に変化させる処理を含む
請求項４又は５に記載の画像処理サービス提供方法。
【請求項７】
顧客端末からネットワークを介して送信された原画ファイルに対して所定の画像処理を行い、その処理画像ファイルを顧客端末に返信する画像処理サービス提供サーバであって、
顧客端末から原画ファイルを受信する受信処理部と、
該原画ファイルに対して所定の画像処理を行い、処理画像ファイルを生成する画像処理部と、
該原画ファイルに対して隠蔽情報を埋込処理して情報埋込原画ファイルを生成する情報隠蔽処理部と、
該処理画像ファイル及び該情報埋込原画ファイルを該顧客端末に送信する送信処理部と、
該受信処理部で受信した原画ファイルにおいて該隠蔽情報が埋め込まれているかを検出して当該原画ファイルに対する再処理に該当するか否かを判定する再処理判定処理部と
を備えることを特徴とする画像処理サービス提供サーバ。
【請求項８】
顧客端末から送信された原画ファイルに対して所定の画像処理を行い、その処理画像ファイルを顧客端末に返信する画像処理サービスにおける課金方法であって、
顧客端末と、ネットワーク回線と、サービス提供サーバとを用い、
該顧客端末の送信処理部が、該原画ファイルを送信するステップ、
該サービス提供サーバの受信処理部が、該原画ファイルを受信するステップ、
該サービス提供サーバの画像処理部が、該原画ファイルに対して所定の画像処理を行い、処理画像ファイルを生成するステップ、
該サービス提供サーバの課金計算部が、該原画ファイルに応じて画像処理料金を計算し、記録するステップ、
該サービス提供サーバの情報隠蔽処理部が、該原画ファイルに対して隠蔽情報を埋込処理して情報埋込原画ファイルを生成するステップ、
該サービス提供サーバの送信処理部が、該処理画像ファイル及び該情報埋込原画ファイルを該顧客端末に送信するステップ、
該顧客端末の受信処理部が、該処理画像ファイル及び該情報埋込原画ファイルを受信するステップ、
該顧客端末の処理画像表示部が、処理画像ファイルを表示するステップ
を有し、
顧客が処理画像ファイルを確認して画像処理のやり直しを希望する場合に、
該顧客端末の送信処理部が、該情報埋込原画ファイルを送信するステップ、
該サービス提供サーバの受信処理部が、該情報埋込原画ファイルを受信するステップ、
該サービス提供サーバの再処理判定処理部が、該情報埋込原画ファイルにおいて該隠蔽情報が埋め込まれているかを検出して当該原画ファイルに対する再処理に該当することを確認するステップ、
該サービス提供サーバの課金計算部が、再処理に該当する場合には画像処理料金を無料又は減額した料金で計算し、記録するステップ
を有することを特徴とする画像処理サービスにおける課金方法。
【請求項９】
前記隠蔽情報に、前記画像処理部で画像処理した際のパラメータ情報を含み、
前記原画ファイルに対する再処理の際に該パラメータ情報を参照可能にした
請求項８に記載の画像処理サービスにおける課金方法。
【請求項１０】
前記画像処理部における画像処理が、
前記原画ファイルの背景を透明化又は所定画像に変化させる処理を含む
請求項８又は９に記載の画像処理サービスにおける課金方法。
【発明の詳細な説明】
【技術分野】
【０００１】
本発明は、画像処理サービスを提供するためのシステム、方法とその課金方法に関し、特にネットワークを用いたサービスの提供方法に係る。
【背景技術】
【０００２】
インターネット上で商品情報を提供する際に、見た目の良い商品画像を提供することが重要である。大規模なオンラインショップはもちろん、近年では小規模な商店でもインターネット上のオンラインショップを開設するケースが増えており、誰でも簡単に美しい商品画像を作成するニーズがある。
【０００３】
その中でも商品画像の背景を透明化したり、商品の見栄えがよい背景色に変換するなど、商品だけを背景画像から抽出することは、不慣れな者にとっては難しく、手間と時間のかかる作業の一例である。
商品画像は小さなショップでも同時に大量の処理を行う必要があることから、このような画像処理サービスを手軽に利用できるようなシステムの提供が望まれている。
【０００４】
上記例示のように背景画像と物体画像とを抽出する情報処理装置が特許文献１に開示されている。
本文献で提案されている情報処理装置は、画像データを登録しており、ネットワークを介して画像データを取得するネットワーク処理手段と、画像データを解析し、前記画像データから背景画像と物体画像を抽出し、抽出された前記背景画像を補正し、物体画像を含む補正画像データを作成する画像補正手段と、補正画像データを、画像データと参照可能に格納するデータベース手段とを含んでいる。
【先行技術文献】
【特許文献】
【０００５】
【特許文献１】特開2008-134921号公報
【発明の概要】
【発明が解決しようとする課題】
【０００６】
このようにネットワークを通じて画像データを取得し、その画像データに対して画像処理を行う装置や、背景画像と物体画像を抽出する技術は、従来から様々提案されている。
しかし、この例で示すような商品画像を背景画像から切り抜くような画像処理は、背景と商品との分離を完全に自動化して行うことは難しく、装置によって自動処理しただけでは不適切な結果となってしまうことも多い。
【０００７】
ネットワークを通じてこのような画像処理サービスを提供する場合には、基本的には自動処理した結果を顧客に納品したとしても、顧客の側で不満がある場合に、再度の処理に応じることが、サービスの質の向上の点からも重要である。また、再度の画像処理の際には、前回の処理で用いたパラメータを参照することが、再処理時の効率や品質の向上に寄与する。
【０００８】
本発明は上記従来技術の有する問題点に鑑みて創出されたものであり、ネットワーク回線を通じて顧客端末から送信された原画ファイルに所定の画像処理を行って顧客端末に送信すると共に、顧客からの再処理の要求を容易かつ正確に判定する技術を提供することを目的とする。
【課題を解決するための手段】
【０００９】
本発明は上記課題を解決するため、次のような画像処理サービス提供システムを提供する。
すなわち、顧客端末から送信された原画ファイルに対して所定の画像処理を行い、その処理画像ファイルを顧客端末に返信する画像処理サービス提供システムであって、顧客端末と、ネットワーク回線と、サービス提供サーバとから構成される。
【００１０】
そして、サービス提供サーバには、顧客端末から原画ファイルを受信する受信処理部と、原画ファイルに対して所定の画像処理を行い、処理画像ファイルを生成する画像処理部と、原画ファイルに対して隠蔽情報を埋込処理して情報埋込原画ファイルを生成する情報隠蔽処理部と、処理画像ファイル及び情報埋込原画ファイルを顧客端末に送信する送信処理部と、受信処理部で受信した原画ファイルにおいて隠蔽情報が埋め込まれているかを検出して当原画ファイルに対する再処理に該当するか否かを判定する再処理判定処理部とを備える。
【００１１】
また、顧客端末には、原画ファイル又は情報埋込原画ファイルを送信する送信処理部と、処理画像ファイル及び情報埋込原画ファイルを受信する受信処理部と、処理画像ファイルを表示する処理画像表示部とを備える。
【００１２】
上記の隠蔽情報に、画像処理部で画像処理した際のパラメータ情報を含み、再処理を行う際に利用できるようにしてもよい。
【００１３】
上記の画像処理部における画像処理が、原画ファイルの背景を透明化又は所定画像に変化させる処理を含む構成でもよい。
【００１４】
本発明は、顧客端末から送信された原画ファイルに対して所定の画像処理を行い、その処理画像ファイルを顧客端末に返信する画像処理サービス提供方法を提供することもできる。
本方法は、顧客端末と、ネットワーク回線と、サービス提供サーバとを用い、
(S1)  顧客端末の送信処理部が、原画ファイルを送信するステップ、
(S2)  サービス提供サーバの受信処理部が、原画ファイルを受信するステップ、
(S3)  サービス提供サーバの画像処理部が、原画ファイルに対して所定の画像処理を行い、処理画像ファイルを生成するステップ、
(S4)  サービス提供サーバの情報隠蔽処理部が、原画ファイルに対して隠蔽情報を埋込処理して情報埋込原画ファイルを生成するステップ、
(S5)  サービス提供サーバの送信処理部が、処理画像ファイル及び情報埋込原画ファイルを顧客端末に送信するステップ、
(S6)  顧客端末の受信処理部が、処理画像ファイル及び情報埋込原画ファイルを受信するステップ、
(S7)  顧客端末の処理画像表示部が、処理画像ファイルを表示するステップ
を有し、顧客が処理画像ファイルを確認して画像処理のやり直しを希望する場合に、
(S8)  顧客端末の送信処理部が、情報埋込原画ファイルを送信するステップ、
(S9)  サービス提供サーバの受信処理部が、情報埋込原画ファイルを受信するステップ、
(S10)  サービス提供サーバの再処理判定処理部が、情報埋込原画ファイルにおいて隠蔽情報が埋め込まれているかを検出して当原画ファイルに対する再処理に該当することを確認するステップ
を有することを特徴とする。
【００１５】
上記の隠蔽情報に、画像処理部で画像処理した際のパラメータ情報を含み、上記の原画ファイルに対する再処理の際にパラメータ情報を参照可能にしてもよい。
【００１６】
上記の画像処理部における画像処理が、原画ファイルの背景を透明化又は所定画像に変化させる処理を含んでもよい。
【００１７】
本発明は、上記画像処理サービス提供システムで用いられる画像処理サービス提供サーバを単体で提供することもできる。
【００１８】
さらに本発明は、顧客端末から送信された原画ファイルに対して所定の画像処理を行い、その処理画像ファイルを顧客端末に返信する画像処理サービスにおける課金方法を提供することもできる。
本課金方法では、上記画像処理サービス提供方法に加え、(S3-1)サービス提供サーバの課金計算部が、原画ファイルに応じて画像処理料金を計算し、記録するステップと、(S9-1)サービス提供サーバの課金計算部が、再処理に該当する場合には画像処理料金を無料又は減額した料金で計算し、記録するステップとをさらに有することを特徴とする。
【発明の効果】
【００１９】
本発明は以上の構成をとることによって次のような効果を奏する。
ネットワーク回線を通じて顧客端末から送られた原画ファイルに対して、画像処理部が所定の画像処理を行い、処理画像ファイルを顧客端末に送信することができるので、ネットワークを利用した画像処理サービスが提供できる。
その際、原画ファイルに対して隠蔽情報埋込処理し、その情報埋込原画ファイルを顧客端末に送信しておくことで、顧客はその情報埋込原画ファイルを再度送信するだけで、すでに過去に画像処理サービスの対象となった原画ファイルであることを容易に判定でき、再処理のサービスを提供することができる。
【００２０】
隠蔽情報とすることで、顧客が勝手に同情報を埋め込むことができないので、再処理の成りすましを防止できる。
また、隠蔽情報に画像処理した際のパラメータ情報を含んでおけば再処理の際に該パラメータ情報を参考にし、また調整して使用することができる。
【００２１】
本発明の画像処理として、原画ファイルの背景を透明化又は所定画像に変化させる処理に適用することにより、画像処理の困難性から再処理を必要とする場合にもスムーズなサービスの提供を実現する。
【００２２】
さらに、本サービスにおける課金方法として適用すれば、再処理の場合にも簡便かつ正確に課金処理を行うことができる。
【図面の簡単な説明】
【００２３】
【図１】本発明における画像処理サービス提供システムの全体構成図である。
【図２】本発明における画像処理サービス提供方法のフローチャートである。
【図３】本実施例における画像処理方法のフローチャートである。
【図４】同、画像処理方法の説明図である。
【図５】本発明における課金方法のフローチャートである。
【発明を実施するための形態】
【００２４】
以下、本発明の実施形態を図面を用いて説明する。本発明は以下の実施例に限定されず請求項記載の範囲で適宜実施することができる。
図１は画像処理サービス提供システム（１）の全体構成図である。
本システム（１）は、サービス提供サーバ（１０）とインターネット等のネットワーク回線（２０）、顧客の使用する顧客端末（３０）とから構成される。
【００２５】
サービス提供サーバ（１０）は、例えば公知のネットワークサーバにより構成され、CPUやメモリ、外部記憶装置などから成るが、周知の構成であるので説明は省略する。CPUには、本発明を実現するための各処理部を備えている。すなわち、顧客端末から原画ファイルを受信する受信処理部（１１）、原画ファイルに対して所定の画像処理を行い、処理画像ファイルを生成する画像処理部（１２）、原画ファイルに対して隠蔽情報を埋込処理して情報埋込原画ファイルを生成する情報隠蔽処理部（１３）、処理画像ファイル及び情報埋込原画ファイルを顧客端末に送信する送信処理部（１４）、受信処理部で受信した原画ファイルにおいて隠蔽情報が埋め込まれているかを検出して当原画ファイルに対する再処理に該当するか否かを判定する再処理判定処理部（１５）である。
【００２６】
その他、図示しないネットワークアダプタによりネットワーク（２０）に接続される。また、後述する課金方法を実施するための課金計算部（１６）と、課金データ（１７）を備えたハードディスクとが備えられている。
【００２７】
一方、顧客端末（３０）も公知のネットワークの端末装置であり、例えばパーソナルコンピュータやタブレットPCなどで実施することが簡便である。顧客端末（３０）には、原画ファイル又は情報埋込原画ファイルを送信する送信処理部（３１）、処理画像ファイル及び情報埋込原画ファイルを受信する受信処理部（３２）、処理画像ファイルを表示する処理画像表示部（３３）を備えている。
また、原画ファイル（３４）を格納するハードディスクと、処理画像等を表示するモニタ（３５）を付設している。
【００２８】
次に図２を用いて本発明の画像処理サービス提供方法を説明する。
まず顧客端末（３０）において処理を希望する原画ファイル（３４）を呼び出し、送信処理部（３１）からネットワーク（２０）を介してサービス提供サーバ（１０）に送信（S20)する。このとき、顧客端末（３０）では顧客ごとに割り当てられたIDとパスワードを用いてサービス提供サーバ（１０）にログインし、サーバ側で顧客を識別出来るようにする。
このようなログイン方式は周知であり、本発明は適宜実施することができる。また、顧客端末（３０）とサービス提供サーバ（１０）の間はSSLを用いた暗号化通信を適用することもできる。
【００２９】
サービス提供サーバ（１０）の受信処理部（１１）が原画ファイルを受信（S21)すると、画像処理部（１２）が所定の画像処理を行い、処理画像ファイルを生成（S22)する。本実施例では後述するように原画像に含まれる商品画像を背景画像から抽出する処理を中心に行うが、画像処理の内容は任意である。
【００３０】
処理画像ファイルの生成（S22)と共に、本発明では情報埋込原画ファイルの生成（S23)を行うことを特徴とする。情報隠蔽処理部（１３）が、原画ファイルに対して隠蔽情報を埋込処理して情報埋込原画ファイルを生成する。隠蔽情報としては、例えば画像処理した日付や、サービス提供サーバに固有の番号など、画像処理した履歴を埋め込むことができる。また、隠蔽情報に画像処理部（１２）で画像処理した際のパラメータ情報を含んでもよい。
【００３１】
原画ファイルへの情報の隠蔽方法は画像ファイルのフォーマットにおけるヘッダ部分に記録する簡単な構成から、公知の電子透かし技術によって画像ファイル中に埋め込む方法でもよい。後者の電子透かし技術は、改ざんが出来ないもの、埋め込まれたことや内容が知覚できないもの、など様々な技術が知られており、本発明はこれらを適宜使用することができる。
【００３２】
情報埋込原画ファイルの画像と、原画像とは、画像として全く同一、あるいは視覚的にはほとんど違いの生じないものとする。従って、情報埋込原画ファイルは、以後原画ファイルの代わりに使用することができる。
サービス提供サーバ（１０）の送信処理部（１４）から処理画像ファイルと情報埋込原画ファイルとの生成結果を送信（S24)し、顧客端末（３０）の受信処理部（３２）で受信（S25)した後、処理画像表示部（３３）がモニタ（３５）上に表示（S26)する。
【００３３】
以上の原画ファイルの送信（S20)から処理画像ファイルを表示（S26)するステップまでが、最初に本サービスを利用する際の流れとなる。処理画像ファイルを表示（S26)して処理された画像に問題がなければ本サービスの利用は完了する。
一方、画像処理内容に問題があり再度の処理を望む場合には次の処理に進む。
【００３４】
顧客端末の送信処理部（３１）から、上記で受け取った情報埋込原画ファイルを送信（S27)する。この時、情報埋込原画ファイルには再修正の内容などを付記することもできる。サービス提供サーバ（１０）の受信処理部（１１）では、情報埋込原画ファイルを受信（S28)する。
この情報埋込原画ファイルと原画ファイルとはファイル形式としては変わらないため、再処理判定処理部（１５）が隠蔽情報の有無を確認する。
当該処理は、情報隠蔽処理部（１３）の処理に対応し、該処理で隠蔽された情報があるかどうかを読み出すものである。
【００３５】
再処理判定（S29)の結果、隠蔽情報があり、再処理対象と判定された場合には、再処理として例えば再度の画像処理（S30)を行う。この時の再処理では、隠蔽情報に含まれたパラメータを参考にすることもできる。再処理は、画像処理部（１２）でパラメータを変じて自動的に行ってもよいし、人手によって行っても良い。
【００３６】
再処理判定（S29)の結果、隠蔽情報が無い場合には通常の画像処理（S31)として、サービス提供サーバ（１０）において原画ファイルを受信（S21)した場合と同様の処理を進める。
【００３７】
次に図３を用いて本実施例における画像処理の内容を説明する。
本実施例の画像処理は原画ファイルから商品画像を背景画像から切り抜くものであり原画像のサンプル（４０）として衣服の側面写真を抽出する様子を示す。まず原画像（４０）から背景を判定（S41)し、商品と背景との境界を抽出（S42)する。境界をアウトライン化（S43)することで、分離が可能となるので、背景を透明化したり色づけ（S44)したりする。
【００３８】
商品画像と背景の境界を求める処理として図４に説明図を示す。
従来から知られている方法として、背景を特定するための領域BGD Seedと、商品画像を特定するための領域OBJ
Seedとを予め与えてから境界判定を計算する。BGD
SeedもOBJ Seedもいずれも通常は線分で与えられる。
図４(a)はこの従来の各Seedを示す図（４３）あり、BGD Seed（４３a）と、OBJ Seed(43b)がそれぞれ定義されている。
【００３９】
これに対して本発明では、図４（ｂ）に示すように対角線から背景を特定するための領域（BGD Seed）（４４ａ）を自動抽出する。そして、上記で得た背景と最も異なる任意の点を数点求めて、その点が円周上となる円周（４４ｂ）に沿ってオブジェトを特定するための領域（OBJ Seed）を自動抽出する。該円周（４４ｂ）は与えられた画像の中心を中心とする同心円である。
【００４０】
本方法によれば、手作業で各Seedを定義しなくとも、写真のほぼ中央に写された商品画像と、背景画像との特徴をそれぞれ自動的に検出する。そして自動で境界を抽出し、商品画像だけを抽出することができる。
【００４１】
商品画像が抽出された画像は、公知の画像処理によりリサイズ（Ｓ４５）、抽出画像の形式変換（Ｓ４６）などが行われ、さらに本発明の特徴であるパラメータの埋込（Ｓ４７）処理までを行う。
【００４２】
本実施例で示したような背景画像からの切り抜きの場合、境界の抽出などが失敗し、顧客の希望通りに処理されない場合がある。一方、パラメータを変更することで、閉ざされた領域を判定することができるが、他の境界部分の処理が損なわれる傾向がある。
そこで、これらの異なるパラメータで計算されたセグメンテーション画像（切り抜き画像）を合成することで、誤判定部分を補完することで、閉ざされた領域の問題を解決することができる。このように、パラメータ変更、境界抽出、合成という処理を繰り返すことで境界判定の誤りを減らすことができる。
【００４３】
本発明では、上記の構成に加えて、課金方法を提供することもできる。
図５に示すように、処理画像ファイルの生成（Ｓ２２）の後に、課金計算部（１６）が画像処理料金を計算する。上述したように、ＩＤとパスワードにより顧客の情報は特定できるので、顧客が１枚の原画を送信するごとに、画像処理料金を計算して課金データ（１７）として記録することができる。
【００４４】
その上で、再処理の判定（Ｓ２９）時に、隠蔽情報がある場合には再処理の料金として課金を計算（Ｓ３３）し、隠蔽情報がない場合には、通常通りの課金（Ｓ３４）を計算する。
再処理の料金としては、無料か、又は減額した料金とすることができる。本課金方法によれば、再処理の場合には容易かつ正確に再処理料金を課金することができ、また隠蔽情報によって判断することで、再処理の成りすましを防止することができる。
【符号の説明】
【００４５】
１    画像処理サービス提供システム
１０    サービス提供サーバ
１１    受信処理部
１２    画像処理部
１３    情報隠蔽処理部
１４    送信処理部
１５    再処理判定処理部
１６    課金計算部
１７    課金データ
２０    ネットワーク
３０    顧客端末
３１    送信処理部
３２    受信処理部
３３    処理画像表示部
３４    原画ファイル
３５    モニタ
【図１】
2013156840.tif 000003
【図２】
2013156840.tif 000004
【図３】
2013156840.tif 000005
【図４】
2013156840.tif 000006
【図５】
2013156840.tif 000007